(57)【要約】      （修正有）【課題】製造コストの削減ができると共に、簡単に折り畳まれたり展開されたりすることができる折り畳み可能なコンテナを提供する。【解決手段】四方形底板８はその一辺が、四枚の四方形周壁４，５，６，７のうちの一枚の下部に枢着すると共に、その枢着部を中心に上方へ回動されてそれ自体を一枚の四方形周壁の内面に畳むことができる。四枚の周壁のうちの一枚と隣り合っている二枚は、少なくとも一枚が、その内面を、既に一枚の内面に畳んだ四方形底板の底面に当接させるように折り畳まれるように枢着している。【選択図】図３
0003157936.tif 000002
【実用新案登録請求の範囲】
【請求項１】
一枚の四方形底板と四枚の四方形周壁とからなる長方体のコンテナであって、
前記四方形底板はその一辺が、前記四枚の四方形周壁のうちの一枚の下部に枢着すると共に、その枢着部を中心に上方へ回動されてそれ自体を前記一枚の四方形周壁の内面に畳むことができるように構成され、
前記四枚の周壁のうちの前記一枚と隣り合っている二枚は、少なくとも一枚が、その内面を、既に前記一枚の内面に畳んだ前記四方形底板の底面に当接させるように折り畳まれるように枢着していることを特徴とする折り畳み可能なコンテナ。
【請求項２】
前記四方形底板における前記一辺の対辺は、前記一辺に枢着している周壁に対向する周壁の下部と解除可能に結合することを特徴とする請求項１に記載の折り畳み可能なコンテナ。
【請求項３】
前記四方形底板における前記一辺及び前記対辺は、対応する周壁の下部に引っ掛けることにより解除可能な枢着構造になっていることを特徴とする請求項２に記載の折り畳み可能なコンテナ。
【請求項４】
前記一辺に枢着している周壁は左右側縁を有し、該左右側縁の一つが、該側縁と連接している第一の隣接周壁の延在方向に曲がって第一の凸縁を構成し、且つ前記第一の凸縁で前記第一の隣接周壁に枢着し、
前記一辺に枢着する周壁に対向する周壁が左右側縁を有し、該左右側縁のうち、前記第一の凸縁と対角になっている側縁が、該側縁と連接している第二の隣接周壁の延在方向に曲がって第二の凸縁を構成し、且つ前記第二の凸縁で前記第二の隣接周壁に枢着することを特徴とする請求項３に記載の折り畳み可能なコンテナ。
【請求項５】
いずれの前記凸縁も、その突出高さが前記底板の厚さと前記凸縁に該当する隣接周壁の厚さとの合計厚さと実質的に等しいことを特徴とする請求項４に記載の折り畳み可能なコンテナ。
【請求項６】
前記四枚の四方形周壁におけるいずれの周壁間の枢着部も、駒とピンとからなる枢着構造であることを特徴とする請求項１に記載の折り畳み可能なコンテナ。
【請求項７】
前記四枚の四方形周壁におけるいずれの周壁間の枢着部も、引っ掛けることによる解除可能な枢着構造になっていることを特徴とする請求項１に記載の折り畳み可能なコンテナ。
【請求項８】
前記周壁及び前記対面にある周壁のいずれの外面にも突起及び該突起が嵌め込める窪みのうちの一方を有し、前記第一の隣接周壁及び前記第二の隣接周壁のいずれの外面にも突起及び該突起が嵌め込める窪みのうち他方を有することを特徴とする請求項４に記載の折り畳み可能なコンテナ。
【考案の詳細な説明】
【技術分野】
【０００１】
本考案は、物品の輸送、運搬に用いられるコンテナに関し、特に物品の輸送、運搬後に容易に回収できる折り畳み可能なコンテナに関する。
【背景技術】
【０００２】
物品の輸送、運搬時に始めて展開され、輸送、運搬後に折り畳まれて回収される、いわゆる折り畳み可能なコンテナが今や広く使用されている。図１１及び図１２に記載されているコンテナは、その例である。
【０００３】
この従来例のコンテナは図１１に示すように、互いに対向する一対の第二側板３を上方周枠１に折り畳んでから、互いに対向する他の一対の第一側板２を中間近くから上下二等分に折り曲げることにより、全体を図１２のように扁平形に折り畳むことができるので、物品の輸送、運搬後に容易に回収することができる（特許文献１参照）。
【先行技術文献】
【特許文献】
【０００４】
【特許文献１】台湾実用新案登録第Ｍ２９０８６８号公報
【考案の概要】
【考案が解決しようとする課題】
【０００５】
しかしながら、このような従来の折り畳み可能なコンテナは、パーツが多いので、製造コストが高い上、折り畳んだり展開したりするのに手間がかなりかかる、という問題点がある。
【０００６】
上記問題点に鑑みて、本考案は、製造コストの削減ができるとともに、簡単に折り畳まれたり展開されたりすることができる折り畳み可能なコンテナの提供を目的とする。
【課題を解決するための手段】
【０００７】
前記目的を達成するため本考案の折り畳み可能なコンテナは、一枚の四方形底板と四枚の四方形周壁とからなる長方体のコンテナであって、
前記四方形底板はその一辺が、前記四枚の四方形周壁のうちの一枚の下部に枢着すると共に、その枢着部を中心に上方へ回動されてそれ自体を前記一枚の四方形周壁の内面に畳むことができるように構成され、
前記四枚の周壁のうちの前記一枚と隣り合っている二枚は、少なくとも一枚が、その内面を、既に前記一枚の内面に畳んだ前記四方形底板の底面に当接させるように折り畳まれるように枢着していることを特徴とする。
【０００８】
また、本考案の折り畳み可能なコンテナにおいて、前記四方形底板における前記一辺の対辺は、前記一辺に枢着している周壁に対向する周壁の下部と解除可能に結合することを特徴とする。
【０００９】
また、本考案の折り畳み可能なコンテナにおいて、前記四方形底板における前記一辺及び前記対辺は、対応する周壁の下部に引っ掛けることにより解除可能な枢着構造になっていることを特徴とする。
【００１０】
また、本考案の折り畳み可能なコンテナにおいて、前記一辺に枢着している周壁は左右側縁を有し、該左右側縁の一つが、該側縁と連接している第一の隣接周壁の延在方向に曲がって第一の凸縁を構成し、且つ前記第一の凸縁で前記第一の隣接周壁に枢着し、
前記一辺に枢着する周壁に対向する周壁が左右側縁を有し、該左右側縁のうち、前記第一の凸縁と対角になっている側縁が、該側縁と連接している第二の隣接周壁の延在方向に曲がって第二の凸縁を構成し、且つ前記第二の凸縁で前記第二の隣接周壁に枢着することを特徴とする。
【００１１】
また、本考案の折り畳み可能なコンテナにおいて、いずれの前記凸縁も、その突出高さが前記底板の厚さと前記凸縁に該当する隣接周壁の厚さとの合計厚さと実質的に等しいことを特徴とする。
【００１２】
また、本考案の折り畳み可能なコンテナにおいて、前記四枚の四方形周壁におけるいずれの周壁間の枢着部も、駒とピンとからなる枢着構造であることを特徴とする。
【００１３】
また、本考案の折り畳み可能なコンテナにおいて、前記四枚の四方形周壁におけるいずれの周壁間の枢着部も、引っ掛けることによる解除可能な枢着構造になっていることを特徴とする。
【００１４】
また、本考案の折り畳み可能なコンテナにおいて、前記周壁及び前記対面にある周壁のいずれの外面にも突起及び該突起が嵌め込める窪みのうちの一方を有し、前記第一の隣接周壁及び前記第二の隣接周壁のいずれの外面にも突起及び該突起が嵌め込める窪みのうち他方を有することを特徴とする。
【考案の効果】
【００１５】
上記構成による本考案の折り畳み可能なコンテナは、四方形底板を一枚の四方形周壁の内面に畳んでから、その一枚の四方形周壁と隣り合っている二枚における少なくとも一枚を四方形底板の底面に折り畳むと同時に、残る二枚の周壁の内面を互いに近寄せる、という簡単な手順で全体を回収し易い扁平形にさせることができ、また、この手順の反対手順で全体をコンテナの使用形状に戻すことができる。
また、本考案の折り畳み可能なコンテナは、部品点数が従来のものよりも格段に少ないので、コストの大幅な削減ができる。
【図面の簡単な説明】
【００１６】
【図１】本考案の実施形態における折り畳み可能なコンテナの斜視図である。
【図２】図１の折り畳み可能なコンテナの真下から見た図である。
【図３】本考案の実施形態における底板が周壁に折り畳まれるように枢着されていることを説明する斜視図である。
【図４】図１の折り畳み可能なコンテナにおける底板が周壁に折り畳まれた後、四枚の周壁が更に折り畳まれる最中の状態を示す斜視図である。
【図５】図１の折り畳み可能なコンテナが完全に折り畳まれて扁平形になった状態を示す斜視図である。
【図６】図１の折り畳み可能なコンテナが二つ上下に重なっている状態を説明する斜視図である。
【図７】本考案の第２の実施形態における周壁と周壁との間の枢着構成を説明する斜視図である。
【図８】図７の折り畳み可能なコンテナが完全に折り畳まれて扁平形になった状態を示す斜視図である。
【図９】本考案の第３の実施形態の斜視図である。
【図１０】図９の折り畳み可能なコンテナが扁平形に折り畳まれてから複数重なっている状態を説明する側面図である。
【図１１】従来の折り畳み可能なコンテナの折り畳み方を説明する側面図である。
【図１２】図１１の折り畳み可能なコンテナが折り畳まれて扁平形になった状態を示す側面図である。
【考案を実施するための形態】
【００１７】
以下、図１〜図１０を参照しながら、本考案の好適な実施の形態を説明する。なお、以下の説明において、略同一の機能及び構成を有する構成要素については、同一符号を付し、重複説明は必要な場合にのみ行う。
【００１８】
（第１の実施形態）
図１〜図６は、本考案の第１の実施形態を説明するための図である。図１に示すように、本実施形態例の折り畳み可能なコンテナは、四枚の四方形周壁４，５，６，７と一枚の四方形底板８とからなっていて、上方へ開口している直方体のコンテナである。
図２に示すように、周壁４及びその対向する周壁６のそれぞれの下部には、円形棒状本体９４と、該円形棒状本体９４に沿って所定距離置きに排列され、該円形棒状本体９４から突出している複数のブロック体９５とが形成されている。
【００１９】
また、図２及び図３に示すように、底板８の周壁４と接続する一辺８１及び周壁４に対向する周壁６と接続する他辺８２には、それぞれ複数のフック９３が所定距離置きに形成されている。そして、図１〜図４に示すように、底板８における一辺８１は、該複数のフック９３で周壁４の下部に形成されている円形棒状本体９４の、ブロック体９５がない箇所を引っ掛けることによって周壁４の下部に解除可能に枢支されている。
また、図示のように、底板８における他辺８２も、該複数のフック９３で周壁６の下部に形成されている円形棒状本体９４の、ブロック体９５がない箇所を引っ掛けることによって周壁６の下側に解除可能に枢支されている。
【００２０】
図３に示されるように底板８は、他辺８２の周壁６の下部に形成されている円形棒状本体９４との枢支を解除することで、一辺８１の周壁４の下部に形成されている円形棒状本体９４との枢着（又は枢着部）を中心に上方へ回動されてそれ自体を周壁４の内面４１に畳むことができる。また、一辺８１の周壁４の下部に形成されている円形棒状本体９４との枢支を解除することで、他辺８２の周壁６の下部に形成されている円形棒状本体９４との枢着部を中心に上方へ回動されてそれ自体を周壁６の内面６１に畳むこともできる。即ち、底板８は、周壁４又は周壁６の選択により自由に周壁４及び周壁６のいずれか一方の内面に折り畳まれることができる。
【００２１】
そして、図１、図４及び図５に示すように、四枚の周壁４，５，６，７は、いずれも隣合っている周壁が互いに枢着している。本実施形態１におけるこれらの周壁間の枢着部はいずれも、両方の周壁、例えば周壁４及び周壁５のそれぞれが互いに、隣接する側縁に互いに交差するように形成されている複数の駒９１と該複数の駒９１が一線に並ぶように貫通して枢支しているピン９２とからなっている。
【００２２】
更に、図１に示すように、本実施形態１における周壁４の図中の右にある側縁が、該側縁と連接している周壁５の延在方向に曲がって第一の凸縁４２となっている。また、周壁４の周壁５に対する枢着部は、第一の凸縁４２になっている。
また、図１に示すように、周壁６における周壁４の第一の凸縁４２と対角になっている側縁、即ち周壁６の図中の左にある側縁が、該側縁と連接している周壁７の延在方向に曲がって第二の凸縁６２となっている。また、周壁６の周壁７に対する枢着部は、第二の凸縁６２になっている。
【００２３】
そして、図５から分かるように、第一の凸縁４２及び第二の凸縁６２のいずれも、その突出高さが底板８の厚さと第一の凸縁４２及び第二の凸縁６２のいずれかに該当する隣接周壁５，７の厚さとの合計厚さにと実質的に等しい。
【００２４】
上記の構成による本実施形態１の折り畳み可能なコンテナは先ず、底板８における他辺８２のフック９３を、周壁６の下側に形成されている円形棒状本体９４による枢支から解除してから、一辺８１のフック９３と周壁４の下部に形成されている円形棒状本体９４との枢着部を中心に上方へ回動させてその底板８を周壁４の内面４１に折り畳む。そして、周壁５を、周壁４の内面４１に折り畳まれている底板８の底面に折り畳むと同時に、残る二枚の周壁６及び７の内面６１，７１を互いに近寄せる、という簡単な手順で全体を図５のような回収し易い扁平形にさせることができる。また、かかる手順とは反対の手順で全体を図１のようなコンテナの使用形状に戻すことができる。
【００２５】
更に、図１に示すように、本実施形態１の折り畳み可能なコンテナは、その四枚の周壁４，５，６，７の中間上方近くに、それぞれ握り部４３，５３，６３，７３が形成されているので、この点でも運搬され易くなっている。
そして、上記構成によれば、本実施形態１の折り畳み可能なコンテナは、構成部品が従来のものよりも格段に少ないので、コストの大幅な削減ができる等の利点がある。
【００２６】
また、図に示されていないが、本実施形態１の折り畳み可能なコンテナは、図１のような使用形状に展開されると、その底板８が四枚の周壁４，５，６，７の下端縁より下方に突出するように形成されている。これにより複数個のコンテナが展開された状態で上下に重ねられると、上のコンテナにおける底板８の一部（図示せず）が下のコンテナに嵌め込まれることができるので、運搬の利便性や８が更に向上する（図６参照）。
【００２７】
（第２の実施形態）
次に、図７及び図８に示すように本考案の実施形態２の折り畳み可能なコンテナは、その基本構成が実施形態１の折り畳み可能なコンテナの場合と略同様である。ここでは、両者の相違点のみを説明する。
実施形態２の折り畳み可能なコンテナは、四枚の周壁４，５，６，７におけるいずれの周壁同士間の枢着部も、底板８と周壁４又は周壁６との枢着と同じように、フック９３を円形棒状本体９４に引っ掛けることによる解除可能な枢着構造になっている。
【００２８】
（第３の実施形態）
更に、図９及び図１０に示すように本考案の実施形態３の折り畳み可能なコンテナは、その基本構成が実施形態１の折り畳み可能なコンテナの場合と略同様である。ここでは、両者の相違点のみを説明する。
実施形態３の折り畳み可能なコンテナは、周壁４の外面４０に複数の突起４４を有し、周壁６の外面６０に複数の突起６４を有している。そして、周壁５の外面５０に、該コンテナが前述のように完全な扁平状態に折り畳まれた場合、他の同一構成のコンテナにある複数の突起４４が嵌め込めるように配置構成されている複数の窪み５４を有する。また、周壁７の外面７０に、該コンテナが完全な扁平状態に折り畳まれた場合、他の同一構成のコンテナにある複数の突起６４が嵌め込めるように配置構成されている複数の窪み７４を有する。
【００２９】
それにより、実施形態３の複数の折り畳み可能なコンテナが折り畳まれた状態で互いに重なる場合、上下の一方の突起４４,６４と他方のそれと相応する窪み５４、７４が嵌め合って係合することができる。これにより上下互いに重なった複数のコンテナは、上下互いに保持し合い、安定するので、一度に畳まれて回収できるコンテナの数量が、従来より格段に増大し、極めて経済的である。
【００３０】
以上説明したように本考案の折り畳み可能なコンテナは、パーツが比較的少なくて製造コストが削減できる上、簡単な手順で全体を回収し易い扁平形にさせることができる。また、その手順の反対手順で全体をコンテナの使用形状に戻すことができるので、使用上の利便性が極めて高い。更に、本考案の折り畳み可能なコンテナは、周壁の外面に形成されている突起と窪みによって、一度に回収できるコンテナの数量が大きく向上し、経済的である。
【符号の説明】
【００３１】
４，５，６，７四枚の四方形周壁
４０，５０，６０，７０四枚の四方形周壁の外面
４１，５１，６１，７１四枚の四方形周壁の内面
４２第一の凸縁
６２第二の凸縁
４３，５３，６３，７３四枚の四方形周壁の握り部
４４，６４突起
５４，７４窪み
８底板
８１底板の一辺
８２底板の対辺
８３底面
９１駒
９２ピン
９３フック
９４円棒体本体
９５ブロック体
【図１】
0003157936.tif 000003
【図２】
0003157936.tif 000004
【図３】
0003157936.tif 000005
【図４】
0003157936.tif 000006
【図５】
0003157936.tif 000007
【図６】
0003157936.tif 000008
【図７】
0003157936.tif 000009
【図８】
0003157936.tif 000010
【図９】
0003157936.tif 000011
【図１０】
0003157936.tif 000012
【図１１】
0003157936.tif 000013
【図１２】
0003157936.tif 000014